(57)【要約】　　　（修正有）【課題】簡単な構成でありながら、明瞭で且つ表現力豊かな文字などの画像が表示されたネームプレートを提供する。【解決手段】透明な基板１の裏面には不透明被膜層２が設けられて、この不透明被膜層には、文字などの画像が表れる透孔部３が形成されると共に、基板の裏面側で且つ少なくとも不透明被膜層の透孔部と対応する位置には、複数の色から構成された透明着色層４とホログラム層５とが順次積層されて、透孔部を介してホログラムと色彩とが融合された画像が表れるようにした。【選択図】　図３
2004061705.tif 000002
【特許請求の範囲】
【請求項１】
透明な基板の表面又は裏面のいずれか一方には不透明被膜層が設けられて、この不透明被膜層には、所定の画像が表示された透孔部が形成されると共に、基板の裏面側で且つ少なくとも不透明被膜層の透孔部と対応する位置には、透明着色層とホログラム層とが順次積層されていることを特徴とする画像を施した成形品。
【請求項２】
基板の表面にホログラム層が設けられて、このホログラム層の表面側には、透明着色層と不透明被膜層とが順次積層され、この不透明被膜層における前記透明着色層と対応する位置には、所定の画像が表示された透孔部が形成されていることを特徴とする画像を施した成形品。
【請求項３】
透明着色層が、色の異なる複数の透明着色部から構成されていることを特徴とする請求項１又は２に記載の画像を施した成形品。
【請求項４】
透孔部が、レーザー光を不透明被膜層に照射することにより形成されていることを特徴とする請求項１、２または３に記載の画像を施した成形品。
【発明の詳細な説明】
【０００１】
【発明の属する技術分野】
本発明は、文字、数字、記号あるいは図形等の各種の画像が施された例えばネームプレートなどの成形品に関する。
【０００２】
【従来の技術】
例えば合成樹脂材料から形成されたネームプレートなどでは、プレートに会社名や商標あるいは図形や品番などの所望の画像を表示するのに、従来では、合成樹脂材料から形成されたプレート状の基板の表面に所定の画像を例えばスクリーン印刷法などによって印刷する方法が採用されている。
【０００３】
【発明が解決しようとする課題】
しかしながら以上のネームプレートにあっては、合成樹脂材料から形成したプレート状の基板の表面に画像が直接印刷されているだけであるので、遠くからはその画像が確認し難くく、また画像を表示を見る者に与えるインパクトも小さいという不具合がある。
【０００４】
また近年、ホログラムによる表示方法で画像を基板上に形成するようにしたものも提案されてはいるが、ホログラムによる表示方法にあってもやはり画像の表現力が充分ではなく、インパクトのある画像が表現されたネームプレートが待ち望まれているのが現状である。
【０００５】
本発明は以上の実情に鑑みて開発されたものであり、目的とするところは、簡単な構成でありながら、明瞭で且つ表現力豊かな画像が表示された成形品を提供することにある。
【０００６】
【課題を解決するための手段】
以上の目的を達成するために、請求項１に記載の発明は、透明な基板の表面又は裏面のいずれか一方には不透明被膜層が設けられて、この不透明被膜層には、所定の画像が表示された透孔部が形成されると共に、基板の裏面側で且つ少なくとも不透明被膜層の透孔部と対応する位置には、透明着色層とホログラム層とが順次積層されていることを特徴とするものである。
【０００７】
請求項２に記載の発明は、基板の表面にホログラム層が設けられて、このホログラム層の表面側には、透明着色層と不透明被膜層とが順次積層され、この不透明被膜層における前記透明着色層と対応する位置には、所定の画像が表示された透孔部が形成されていることを特徴とするものである。
【０００８】
請求項３に記載の発明は、請求項１又は２に記載の成形品の透明着色層が、色の異なる複数の透明着色部から構成されていることを特徴とするものである。
【０００９】
更に請求項４に記載の発明は、請求項１、２又は３に記載の成形品の透孔部が、レーザー光を不透明被膜層に照射することにより形成されていることを特徴とするものである。
【００１０】
【実施の形態】
図１〜図５に示す実施形態は、成形品として合成樹脂材料から形成したネームプレートＰに本発明を適用したものである。
【００１１】
図３に示すネームプレートＰは、透明の合成樹脂材料を平板状に形成した基板１から成るものであって、この基板１の裏面には不透明被膜層２が設けられ、この不透明被膜層２には、所定の画像、実施形態では英文字「ＡＢＣＤＥ」の形に抜けた透孔部３が形成されている。
【００１２】
また不透明被膜層２の裏面側で前述の透孔部３と対応する位置には、透明の着色層４が積層され、透明着色層４の裏面側には、ホログラム層５が積層されている。
【００１３】
更に基板１の裏面には、主としてホログラム層５を保護するために透明保護膜層６が積層されている。
【００１４】
次に図４に示す別の実施形態では、基板１の表面に不透明被膜層２が設けられ、この不透明被膜層２には、図３に示す実施形態と同様の画像（「ＡＢＣＤＥ」の英文字）を表す透孔部３が形成されている。
【００１５】
また基板１の裏面側で不透明被膜層２の透孔部３と対向する位置には、透明着色層４が積層され、この透明着色層４の裏面側にホログラム層５が積層されている。
【００１６】
そして基板１の裏面並びに不透明被膜層２の表面側には、主としてホログラム層５乃至不透明被膜層２を保護するために保護被膜層６が積層されている。
【００１７】
更に図５に示す別の実施形態では、不透明の基板１０を用いた場合の例であって、この基板１０の表面の中央部位にはホログラム層５が積層され、このホログラム層５の表面側には透明着色層４が積層されている。
【００１８】
尚、基板１０は、合成樹脂材料から形成する他、例えば金属材料や石材から形成してもよい。
【００１９】
また透明着色層４の表面側乃至基板１０の表面には不透明被膜層２が積層され、この不透明被膜層２における透明着色層４と対応する位置には、所定の画像を表す透孔部３が形成され、この不透明被膜層２の表面には、不透明被膜層２を保護するための保護被膜層６が積層されている。
【００２０】
以上の図３、図４、図５に示す各実施形態において、不透明被膜層２は、所望の色彩のインク、即ち、実施形態では濃紺のエポキシ系インクを用いて、基板１の裏面全面にオフセット印刷により形成している。
【００２１】
尚、不透明被膜層２は、前述のエポキシ系インクの他に、例えばアクリル系インクやウレタン系インクを用いて形成してもよい。
【００２２】
また透明着色層４は、黄色と青色と紫色の３種類の透明着色部４ａ・４ｂ・４ｃから構成されており、これら透明着色部４ａ・４ｂ・４ｃは、図３及び図５に示す実施形態では、それぞれ不透明被膜層２の裏面側において透孔部３を覆うように積層され、また図４に示す実施形態では、基板１の裏面において透孔部３と対向する位置に積層されている。
【００２３】
透明着色層４はクリアラッカー塗料を用いてオフセット印刷により形成されている。
【００２４】
ホログラム層５は、表面に所定の干渉縞により構成された金属光沢を呈するホログラムがあらわれるようにした金属薄被膜から成り、この金属薄被膜を、図３及び図４に示す実施形態では透明着色層４の裏面側に、また図５に示す実施形態では基板１０の表面にそれぞれ貼り付けて、ホログラムが透明着色層４と対向するようにしている。
【００２５】
また透明保護膜層６は、アクリル系の透明塗料から成り、図３に示す実施形態では、ホログラム層５の裏面側に、図４に示す実施形態では、ホログラム層５の裏面側と不透明被膜層２の表面側に、図５に示す実施形態では、不透明被膜層２の表面側にそれぞれ塗布することにより形成している。
【００２６】
以上の各実施形態において、不透明被膜層２に透孔部３を形成する方法としては、ＹＡＧレーザー光を利用し、ＹＡＧレーザー光の焦点を不透明被膜層２に合わせて、このＹＡＧレーザー光でもって、不透明被膜層２に文字、記号、図形等の所定の画像が表示される透孔部５を形成するか、若しくは不透明被膜層２を基板１にプリントするに際して同時に透孔部５を形成してもよい。
【００２７】
ＹＡＧレーザー光による形成方法では、画像の異なるネームプレートを一枚一枚作成するに際して画像を簡単且つ安価に成形することが出来る。
【００２８】
斯くして以上の図３、図４、図５に示す実施形態のネームプレートにあっては、基板１・１０の表面側には、透孔部３を介して透明着色層４の各色彩（黄色、青色、紫色）とホログラム層のホログラムとが融合した一種独特の画像が表現されるのであって、この画像は、見る者の視覚に強く訴えるものであると同時に、今までにはない異質で高級感のある視覚的効果が期待されて、極めて個性的で見栄えのするネームプレートＰとすることが出来る。
【００２９】
以上の実施形態では、エポキシ系インクを用いて不透明被膜層２をオフセット印刷により形成したが、これに限定されるものではなく、例えば油性インクを用いて、基板１の裏面に不透明被膜層２をスクリーン印刷により形成するようにしてもよい。
【００３０】
また以上の実施形態では、成形品としてのネームプレートＰに本発明を適用したが、これに限定されるものではなく、例えば携帯電話やポータブルＣＤデッキなどのケーシングに名前やマークなどの画像を形成するのに適用してもよいし、あるいは鏡や自動車などに組み付けるガーニッシュメントなどに画像を形成するのに適用してもよい。
【００３１】
また以上の各実施形態の不透明被覆層２として、蒸着により形成されるアルミメッキから構成してもよい。
【００３２】
また以上の各実施形態では、透明着色層４として、黄色と青色と紫色の３種類の透明着色部４ａ・４ｂ・４ｃから構成したが、これに限定されるものではなく、いずれの色彩若しくは種類でもよい。
【００３３】
【発明の効果】
以上説明したように、請求項１に記載の発明によれば、透明な基板の表面又は裏面のいずれか一方に不透明被膜層を設け、この不透明被膜層に、所定の画像が表示された透孔部を形成すると共に、基板の裏面側で且つ少なくとも不透明被膜層の透孔部と対応する位置に、透明着色層とホログラム層とを順次積層しただけの簡単な構成でありながら、明瞭で且つ表現力豊かな画像が表示された成形品を提供することができる。
【００３４】
請求項２に記載の発明によれば、基板の表面にホログラム層を設けると共に、このホログラム層の表面側に、透明着色層と不透明被膜層とを順次積層し、この不透明被膜層における前記透明着色層と対応する位置に、所定の画像が表示された透孔部を形成しただけの簡単な構成でありながら、明瞭で且つ表現力豊かな画像が表示された成形品を提供することができる。
【００３５】
請求項３に記載の発明によれば、請求項１又は２に記載の成形品の透明着色層が、色の異なる複数の透明着色部から構成されていることにより、請求項１または２に記載の発明の効果に加え、より一層表現力豊かな画像が表示された成形品を提供することができる。
【００３６】
請求項４に記載の発明によれば、請求項１、２又は３に記載の成形品の透孔部が、レーザー光を不透明被膜層に照射することにより形成されていることにより、請求項１、２または３に記載の発明の効果に加え、画像の異なる成形品を例えば１枚ずつ作成するに際して画像を簡単且つ安価に成形することが出来る。
【図面の簡単な説明】
【図１】本発明を適用したネームプレートの斜視図。
【図２】ホログラム層を省略して示すネームプレートの背面図。
【図３】ネームプレートの要部の断面図。
【図４】ネームプレートの別の実施形態を示す要部の断面図。
【図５】ネームプレートの別の実施形態を示す要部の断面図。
【符号の説明】
１・１０　基板
２　　　　不透明被膜層
３　　　　透孔部
４　　　　透明着色層
５　　　　ホログラム層
６　　　　透明保護膜層
【図１】
2004061705.tif 000003
【図２】
2004061705.tif 000004
【図３】
2004061705.tif 000005
【図４】
2004061705.tif 000006
【図５】
2004061705.tif 000007